(57)【特許請求の範囲】
【請求項１】
複数の開閉ドア１・２・・・の枢支軸を立設する複数の枢支軸挿入孔９・９・・・を、フロアーＡの一定間隔を置いた位置に穿設配置し、複数の開閉ドア１・２・・・のそれぞれには、一端に回動枢支軸１ａ・２ａ・・・を設け、該回動枢支軸１ａ・２ａ・・・を前記枢支軸挿入孔９・９・・・に挿入して、該回動枢支軸１ａ・２ａ・・・を中心に開閉ドア１・２・・を開閉可能とし、該枢支軸挿入孔９に対する回動枢支軸１ａ・２ａ・・・の挿入位置を変更することにより、開閉ドア１・２・・・の回動方向を、押し回動か、引き回動かに変更し、住宅内における人間の通過する軌跡である動線を変化可能としたことを特徴とする住宅内における動線体験装置。
【請求項２】
請求項１記載の住宅内における動線体験装置において、開閉ドア１・２・・・の配置の変更により、廊下１０を隔てた２枚のドアの開閉方向の変更による動線の変化と、直交する２面の壁に設けた２枚のドアの開閉方向の変更による動線の変化を体験可能としたことを特徴とする住宅内における動線体験装置。
【発明の詳細な説明】
【０００１】
【発明の属する技術分野】
本発明は、住宅を設計する場合において、開閉ドアの位置と開閉方向により、人間の通過軌跡である動線が異なり、高齢者や障害者にとっては、不具合の発生する動線となることがあるので、これを予め体験して、最良の開閉ドアの位置と開閉方向を選択可能とする装置に関する。
【０００２】
【従来の技術】
従来から、住宅の設計において、人間の通過軌跡である動線をどうするかという動線の設計は、建設会社の設計技術者のノウハウとして蓄積されており、完成した住宅に住んだ場合に、住人にとって不具合のない動線となるように設計の段階で検討が成されていたのである。
さらにいえば、住宅設計技術にとって、動線のベカラズ集のような設計指針集が存在して、このような動線となるように設計してはならない等の、禁止則が周知徹底されているのである。
【０００３】
【発明が解決しようとする課題】
しかし、このような動線ベカラズ集等は、通常の健常者を対象とした一般的なものであり、高齢者や障害者、特に障害の種類やその程度により、例えば車椅子生活をする場合等は、動線の善し悪しは変化するものである。
故に、高齢者や障害者が住人となる場合には、実際に動線の設計において、自分で不具合を確認しておく必要があるのである。
本発明は、住宅展示場等の住宅設計に関する知識を習得する場所に配置した体験可能装置であり、高齢者や障害者や車椅子生活者が、実際に開閉ドアの方向と配置を検討して、通過に支障がないかどうかを検討して、このデータを住宅の設計に活かさんとするものである。
【０００４】
【課題を解決するための手段】
本発明が解決しようとする課題は以上の如くであり、次に該課題を解決するための手段を説明する。
請求項１においては、複数の開閉ドア１・２・・・の枢支軸を立設する複数の枢支軸挿入孔９・９・・・を、フロアーＡの一定間隔を置いた位置に穿設配置し、複数の開閉ドア１・２・・・のそれぞれには、一端に回動枢支軸１ａ・２ａ・・・を設け、該回動枢支軸１ａ・２ａ・・・を前記枢支軸挿入孔９・９・・・に挿入して、該回動枢支軸１ａ・２ａ・・・を中心に開閉ドア１・２・・を開閉可能とし、該枢支軸挿入孔９に対する回動枢支軸１ａ・２ａ・・・の挿入位置を変更することにより、開閉ドア１・２・・・の回動方向を、押し回動か、引き回動かに変更し、住宅内における人間の通過する軌跡である動線を変化可能としたものである。
【０００５】
請求項２においては、請求項１記載の住宅内における動線体験装置において、開閉ドア１・２・・・の配置の変更により、廊下１０を隔てた２枚のドアの開閉方向の変更による動線の変化と、直交する２面の壁に設けた２枚のドアの開閉方向の変更による動線の変化を体験可能としたものである。
【０００６】
【発明の実施の形態】
次に本発明の実施の形態を説明する。
図１は本発明の住宅内における動線体験装置を配置した住宅展示場等の住宅設計に関する知識を習得する場所の平面図、図２は図１の住宅内における動線体験装置の部分の拡大平面図、図３は本発明の住宅内における動線体験装置の部分の俯瞰図、図４は住宅内における動線体験装置を構成する開閉ドア１・２・５・６の俯瞰図である。
【０００７】
図５は同じく開閉ドア１・２・５・６を他の側から見た図面、図６は開閉ドア５の開閉方向と、回動方向の相違により動線Ｂの相違を比較した図面、図７は廊下１０を挟んで２枚の開閉ドア２・３・６・７が設けられている場合における動線Ｂの変化を示す図面、図８は直交するコーナーを挟んで２枚の開閉ドア２・５がある場合の動線Ｂの変化を示す図面である。
【０００８】
図１においては、住宅展示場等の住宅設計に関する知識を習得する場所を図示しており、該展示施設においては、各種の比較階段１１・１２・１３のように、幅と段の踏足面の幅等の相違する階段を３種類並べて配置しており、これにより、階段の相違による登り具合の善し悪しを体験可能としている。
また、高齢者や障害者用の車椅子エレベーター１４も配置されており、体験が可能となっている。
【０００９】
本発明の住宅内における動線体験装置は、このような住宅展示場等の住宅設計に関する知識を習得する場所において、フロアーＡに、開閉ドア１・２・３・４・５・６・７・８の枢支軸を立設する枢支軸挿入孔９・９・・・を、一定間隔を開けて配置している。
８枚の開閉ドア１・２・３・４・５・６・７・８のそれぞれには、一端に回動枢支軸１ａ・２ａ・３ａ・４ａ・５ａ・６ａ・７ａ・８ａが設けられており、該回動枢支軸１ａ・２ａ・３ａ・４ａ・５ａ・６ａ・７ａ・８ａを挿入して、該位置の回動枢支軸１ａ・２ａ・３ａ・４ａ・５ａ・６ａ・７ａ・８ａを中心に開閉ドア１・２・３・４・５・６・７・８を開閉可能とする枢支軸挿入孔９が、フロアーＡの一定間隔を置いた位置に穿設されている。
【００１０】
該枢支軸挿入孔９に対する回動枢支軸１ａ・２ａ・３ａ・４ａ・５ａ・６ａ・７ａ・８ａの挿入位置を変更することにより、図６・図７・図８に示す如く、開閉ドア１・２・３・４・５・６・７・８の回動方向と、押し回動か、引き回動かを変更可能としている。
図２と図３においては、開閉ドア１・２・３・４を１直線に、開閉ドア５・６・７・８をそれに平行に配置した実施例を図示している。このように、開閉ドア１・２・３・４と、開閉ドア５・６・７・８を平行に配置した場合には、図７に示す如く、廊下１０が設けられ、該廊下１０の両側の２枚の開閉ドアの動線Ｂを体験する場合の状態を示している。
【００１１】
図４と図５においては、開閉ドア１・２・３・４・５・６・７・８は、別の位置の枢支軸挿入孔９に立設した状態が図示されている。このように、開閉ドア１・２・３・４・５・６・７・８はどの位置の枢支軸挿入孔９でも挿入か可能であり、また開閉方向と、押し開放か引き開放かを変更可能としている。
【００１２】
以上のように、フロアーＡの複数箇所に一定間隔を置いて枢支軸挿入孔９を穿設し、該枢支軸挿入孔９に嵌入可能な回動枢支軸１ａ・２ａ・３ａ・４ａ・５ａ・６ａ・７ａ・８ａを具備した開閉ドア１・２・３・４・５・６・７・８を設け、この開閉ドア１・２・３・４・５・６・７・８の配置により、ドアの配置と、開閉方向を変更可能としている。
そして、色々な動線Ｂを体験可能としているのである。図６においては、部屋と部屋の間仕切りにおいて、開閉ドア２が設けられている場合に、押し開放と引き開放とで、動線Ｂの相違が図示されている。
【００１３】
即ち、引き開放の場合には、必ず動線Ｂは、開閉ドア２を引っ張る為に立ち止まり、迂回する必要があるのである。これに対して、押し回動の場合には、このような開閉ドア２の前の立ち止まりと、迂回が必要無いのである。
高齢者や障害者にとっては、押し開放の方が動きが良いが、逆に開閉ドア２を開ける場合には、引き回動になる可能性があるのである。高齢者や障害者が通過する場合には、どの場合にも押し開放となる開閉ドア２が最適である。
【００１４】
図７においては、廊下１０を隔てた２枚の開閉ドア２・７と３・６の関係が図示されている。この場合には、廊下１０が設けられているので、部屋の側からの押し開放は、廊下を狭くするので不具合があり、どうしても、室内側への引き回動となるのである。この場合において、右側への引き開放か、左側への引き開放かを検討する必要がある。
【００１５】
図８においては、直交するコーナー壁を挟んで、２面の壁に２枚のドアがある場合に開閉ドア２・５との押し開放か引き開放かにより、動線Ｂが相違する状態を図示していく、２枚のドアのどちらも引き開放である場合が、２度の迂回部分か発生するので良くない。出来るだけ２枚のドア共に押し開放が最も良いのある。高齢者や障害者や車椅子障害者にとって、最良の動線Ｂとなるように開閉ドア１・２・３・４・５・６・７・８を決定するのである。
【００１６】
【発明の効果】
本発明は以上の如く構成したので、次のような効果を奏するのである。
請求項１の如く構成したので、高齢者や障害者や車椅子生活者が、開閉ドア１・２・３・４・５・６・７・８の位置と、押し開放か引き開放かを体験することができ、最良の開閉ドアの位置と開放方向を決定して、これを設計図面にフィードバックすることが出来るのである。
また、フロアーＡの面に複数の開閉ドア１・２・３・４・５・６・７・８を配置して、該開閉ドア１・２・３・４・５・６・７・８の回動枢支軸１ａ・２ａ・３ａ・４ａ・５ａ・６ａ・７ａ・８ａの部分を枢支軸挿入孔９に対して入れ替えることにより、種々の開閉ドアの状態を作りだすことが出来るので、色々な場合の開閉ドアの状態を体験することが出来るのである。
【００１７】
請求項２の如く構成したので、廊下１０を挟んで２枚のドアを配置した場合と、直交するコーナーを挟んで２枚の開閉ドアを配置した場合を体験可能とすることにより、一般的な住宅において発生する開閉ドアの大部分の状況を体験することが可能となったのである。
【図面の簡単な説明】
【図１】本発明の住宅内における動線体験装置を配置した住宅展示場等の住宅設計に関する知識を習得する場所の平面図。
【図２】図１の住宅内における動線体験装置の部分の拡大平面図。
【図３】本発明の住宅内における動線体験装置の部分の俯瞰図。
【図４】住宅内における動線体験装置を構成する開閉ドア１・２・３・４・５の俯瞰図図。
【図５】同じく開閉ドア１・２・３・４・５を他の側から見た図面。
【図６】開閉ドア１の開閉方向と、回動方向の相違により動線Ｂの相違を比較した図面。
【図７】廊下７を挟んで２枚の開閉ドアが設けられている場合における動線Ｂの変化を示す図面。
【図８】直交するコーナーを挟んで２枚の開閉ドアがある場合の動線Ｂの変化を示す図面。
【符号の説明】
Ａ  フロアー
１・２・３・４・５・６・７・８  開閉ドア
１ａ・２ａ・３ａ・４ａ・５ａ・６ａ・７ａ・８ａ  回動枢支軸
９  枢支軸挿入孔
１０  廊下
【図１】
0003621207.tif 000002
【図２】
0003621207.tif 000003
【図３】
0003621207.tif 000004
【図４】
0003621207.tif 000005
【図５】
0003621207.tif 000006
【図６】
0003621207.tif 000007
【図７】
0003621207.tif 000008
【図８】
0003621207.tif 000009